(57)【要約】【課題】コンプレッサハウジングにおけるディフューザ流路の壁面にオイル等が固化して堆積することを防止でき、長期に亘り安定した性能や動作特性を維持できるターボチャージャを提供する。【解決手段】本発明のターボチャージャ１は、コンプレッサハウジング５の内部に設けられた回転翼８と、回転翼８を囲んで略環状を呈するディフューザ流路４１とを備え、少なくともディフューザ流路４１のタービンハウジング２と逆側の壁面４１ａはコンプレッサハウジング５に形成されているターボチャージャ１であって、コンプレッサハウジング５における壁面４１ａ近傍に形成され、回転翼８を囲んで略環状を呈し、かつ、壁面を冷却するための流体を流動させる冷却用流路５３を有するという構成を採用する。【選択図】図１
2010209846.tif 000002
【特許請求の範囲】
【請求項１】
コンプレッサハウジングの内部に設けられた回転翼と、前記回転翼を囲んで略環状を呈するディフューザ流路とを備え、少なくとも前記ディフューザ流路のタービンハウジングと逆側の壁面は前記コンプレッサハウジングに形成されているターボチャージャであって、
前記コンプレッサハウジングにおける前記壁面近傍に形成され、前記回転翼を囲んで略環状を呈し、かつ、前記壁面を冷却するための流体を流動させる冷却用流路を有することを特徴とするターボチャージャ。
【請求項２】
前記冷却用流路は、少なくとも前記ディフューザ流路の前記壁面における外周縁部近傍に設けられることを特徴とする請求項１に記載のターボチャージャ。
【請求項３】
前記冷却用流路の径方向外側には、前記回転翼を中心にして略渦巻状に形成されたコンプレッサスクロール流路が形成されており、
前記冷却用流路の流路径は、前記コンプレッサスクロール流路の流路径に応じて変化していることを特徴とする請求項１に記載のターボチャージャ。
【請求項４】
前記冷却用流路は、前記回転翼の回転軸周りに巻回されて周方向で重ねられることを特徴とする請求項１から３のいずれか一項に記載のターボチャージャ。
【請求項５】
前記冷却用流路は、環形状を複数に分割した形状に形成されていることを特徴とする請求項１から４のいずれか一項に記載のターボチャージャ。
【発明の詳細な説明】
【技術分野】
【０００１】
本発明は、エンジンから排出される排気ガスの運動エネルギーを利用して、エンジンに空気を過給するターボチャージャに関する。
【背景技術】
【０００２】
従来から、エンジンから排出される排気ガスの運動エネルギーを利用して、エンジンに空気を過給するターボチャージャが用いられている。
ターボチャージャは、タービンとコンプレッサとを有している。エンジンから排出された排気ガスがタービンに導入され、タービンの内部に設けられたタービンインペラを回転させる。タービンインペラは、コンプレッサの内部に設けられたコンプレッサインペラと一体的に連結されており、タービンインペラの回転によりコンプレッサインペラが回転する。コンプレッサの吸気口から導入された空気は、コンプレッサインペラが回転することにより圧縮され、該コンプレッサインペラの外側に位置するディフューザ流路に送り出される。圧縮された空気がコンプレッサからエンジンに供給されることで、エンジンの性能が向上する。
【０００３】
コンプレッサにおける吸気口の上流側には、エンジン等から排出されるブローバイガスの導入口が設けられている。ブローバイガスとは、エンジンのピストン及びシリンダの隙間等から漏出したガスのことであり、その中には潤滑用のオイルや燃料等が含まれ、汚染の原因となることからそのまま外部に排出することはできない。
【０００４】
ここで、特許文献１には、コンプレッサを介してブローバイガスをエンジンに供給し、燃焼により処理する装置が開示されている。
ブローバイガスは所定の箇所に集められ、オイルセパレータによって液状のオイル等が除去された後に、上記導入口及び吸気口を介してコンプレッサ内に導入される。ブローバイガスは、空気と共にコンプレッサにより圧縮され、再びエンジンに供給されて燃料と共に燃焼される。
【先行技術文献】
【特許文献】
【０００５】
【特許文献１】特開２００５−２６４９１８号公報（第９頁、第１図）
【発明の概要】
【発明が解決しようとする課題】
【０００６】
ところで、コンプレッサ内に導入されたブローバイガスにはオイルセパレータで除去できなかった霧状のオイル等が含まれており、このオイル等がディフューザ流路の壁面に付着した後、固化して堆積するという現象が見られた。空気はコンプレッサインペラで圧縮されて高温となるために、空気が流動するディフューザ流路の壁面も高温となる。さらに、上記オイル等は所定の温度（例えば１６５℃）で固化する性質を有しているため、ディフューザ流路の壁面でオイル等が固化して堆積していた。
そして、オイル等が堆積することで、ディフューザ流路の幅が縮小してしまい、ターボチャージャの性能や動作特性が変化してしまうという問題があった。
【０００７】
本発明は、このような事情に鑑みてなされたものであり、コンプレッサハウジングにおけるディフューザ流路の壁面にオイル等が固化して堆積することを防止でき、長期に亘り安定した性能や動作特性を維持できるターボチャージャを提供することを目的とする。
【課題を解決するための手段】
【０００８】
上記課題を解決するために、本発明は以下の手段を採用する。
本発明のターボチャージャは、コンプレッサハウジングの内部に設けられた回転翼と、回転翼を囲んで略環状を呈するディフューザ流路とを備え、少なくともディフューザ流路のタービンハウジングと逆側の壁面はコンプレッサハウジングに形成されているターボチャージャであって、コンプレッサハウジングにおける壁面近傍に形成され、回転翼を囲んで略環状を呈し、かつ、壁面を冷却するための流体を流動させる冷却用流路を有するという構成を採用する。
このような構成を採用する本発明では、上記流体が流動することによりディフューザ流路の壁面が冷却され、その温度が低下する。
【０００９】
また、本発明のターボチャージャは、冷却用流路が少なくともディフューザ流路の壁面における外周縁部近傍に設けられるという構成を採用する。
このような構成を採用する本発明では、上記流体が流動することにより上記壁面の外周縁部が冷却され、その温度が低下する。
【００１０】
また、本発明のターボチャージャは、回転翼を中心にして略渦巻状に形成されたコンプレッサスクロール流路が冷却用流路の径方向外側に形成されており、冷却用流路の流路径は、コンプレッサスクロール流路の流路径に応じて変化しているという構成を採用する。
このような構成を採用する本発明では、コンプレッサスクロール流路の流路径が狭くなれば冷却用流路の流路径が広がるため、ディフューザ流路の壁面は広い範囲で冷却される。
【００１１】
また、本発明のターボチャージャは、冷却用流路が回転翼の回転軸周りに巻回されて周方向で重ねられるという構成を採用する。
このような構成を採用する本発明では、周方向に関して冷却用流路が全周に亘り形成されているため、ディフューザ流路の壁面は全周に亘り冷却される。
【００１２】
また、本発明のターボチャージャは、冷却用流路が環形状を複数に分割した形状に形成されているという構成を採用する。
このような構成を採用する本発明では、ディフューザ流路における壁面が効率よく冷却され、また、上記壁面の温度が周方向に関して均一化される。
【発明の効果】
【００１３】
本発明によれば、以下の効果を得ることができる。
本発明によれば、ディフューザ流路の壁面にオイル等が固化して堆積することを防止できるという効果がある。したがって、本発明によれば、ディフューザ流路の流路幅が変化しないことから、ターボチャージャの性能や動作特性を長期に亘り安定化できるという効果がある。
【図面の簡単な説明】
【００１４】
【図１】本実施形態に係るターボチャージャ１の全体構成を示す概略図である。
【図２】図１のＡ−Ａ線視断面図である。
【図３】本実施形態における冷却用流路５３の第１の変形例を示す概略図である。
【図４】本実施形態における冷却用流路５３の第２の変形例を示す概略図である。
【図５】本実施形態における冷却用流路５３の第３の変形例を示す概略図である。
【図６】本実施形態における冷却用流路５３の第４の変形例を示す概略図である。
【発明を実施するための形態】
【００１５】
以下、図面を参照して本発明の実施形態について説明する。
本実施形態に係るターボチャージャ１の構成を、図１及び図２を参照して説明する。
図１は、本実施形態に係るターボチャージャ１の全体構成を示す概略図である。図２は、図１のＡ−Ａ線視断面図である。上記図内の矢印Ｆは前方向を示す。
【００１６】
ターボチャージャ１は、不図示のエンジンから排出される排気ガスの運動エネルギーを利用して、エンジンに空気を過給する装置である。
図１に示すように、ターボチャージャ１は、タービンハウジング２と、軸受けハウジング３と、シールプレート４と、コンプレッサハウジング５とが前方より順次配置され一体的に設けられた構成となっている。
【００１７】
軸受けハウジング３内部には、前後方向で延びるインペラ軸６が、複数の軸受け３１を介して回転自在に設けられている。
インペラ軸６の両端には、回転する翼であるタービンインペラ７及びコンプレッサインペラ（回転翼）８がそれぞれ一体的に連結されている。タービンインペラ７及びコンプレッサインペラ８は、いずれも複数の翼が回転軸周りに等間隔で配設された構成となっている。タービンインペラ７は、タービンハウジング２の略中央部に配置され、コンプレッサインペラ８は、コンプレッサハウジング５の略中央部に配置されている。
【００１８】
タービンハウジング２は、タービンインペラ７を囲み前後方向に直交する面に沿って略渦巻状に形成されるタービンスクロール流路２１と、排気ガスの排出口であるタービンハウジング出口２２とを有している。
タービンスクロール流路２１は、エンジンから排出された排気ガスが導入される不図示のガス流入口に連通している。また、タービンスクロール流路２１は、タービンインペラ７の設置箇所を介して、タービンハウジング出口２２に連通している。タービンハウジング出口２２は、不図示の排気ガス浄化装置に接続されている。
【００１９】
コンプレッサハウジング５はアルミ等の金属材料からなり、後方に開口し不図示のエアクリーナに接続される吸気口５１と、コンプレッサインペラ８を中心として前後方向に直交する面に沿って略渦巻状に形成されるコンプレッサスクロール流路５２と、コンプレッサスクロール流路５２の内側でコンプレッサインペラ８を囲み前後方向に直交する面に沿って略環状に形成される冷却用流路５３と、圧縮された空気を排出する排気口５４（図２参照）とを有している。
シールプレート４とコンプレッサハウジング５との間には、空気を圧縮して昇圧させるディフューザ流路４１がコンプレッサインペラ８を囲んで略環状に形成されている。
【００２０】
吸気口５１は、コンプレッサインペラ８の設置箇所を介してディフューザ流路４１に連通しており、ディフューザ流路４１は、コンプレッサスクロール流路５２に連通している。コンプレッサスクロール流路５２は、排気口５４に連通している（図２参照）。
吸気口５１と上記エアクリーナとの間には、エンジン等から排出されるブローバイガスの導入口（図示せず）が設けられている。なお、上記導入口から導入されるブローバイガスは、不図示のオイルセパレータによって液状のオイルが除去されたものである。
【００２１】
ディフューザ流路４１のタービンハウジング２と逆側の壁面４１ａは、コンプレッサハウジング５に形成されている。
冷却用流路５３は、ディフューザ流路４１に沿いつつ壁面４１ａの近傍に設けられている。
図２に示すように、冷却用流路５３は逆Ｃ字状を呈しており、冷却用流路５３の２つの端部である第１端部５３ａ及び第２端部５３ｂには、各々図示しない供給用流路及び排出用流路が接続されている。該供給用流路及び該排出用流路には、不凍液等を用いた冷却用の液体（流体）を循環して流動させるための循環装置（図示せず）が接続されている。なお、該循環装置は、上記液体を冷却するための冷却機（図示せず）を有している。
【００２２】
続いて、本実施形態におけるターボチャージャ１の動作を説明する。
まず、ターボチャージャ１の過給動作、すなわち、不図示のエンジンから排出される排気ガスの運動エネルギーを利用して、エンジンに空気を過給する動作について説明する。
【００２３】
エンジンの排気口から排出された排気ガスは、タービンハウジング２のガス流入口を介してタービンスクロール流路２１に導入される。排気ガスは、タービンスクロール流路２１内をタービンインペラ７周りで回転するように流動しつつ、タービンインペラ７に導入される。この排気ガスの導入により、タービンインペラ７が回転する。タービンインペラ７を回転させた後、排気ガスはタービンハウジング出口２２から排出され、排気ガス浄化装置によって浄化された後に大気に放出される。
【００２４】
タービンインペラ７は、インペラ軸６を介してコンプレッサインペラ８と一体的に連結されているため、タービンインペラ７が回転することでコンプレッサインペラ８も回転する。
コンプレッサインペラ８の回転により、コンプレッサハウジング５の吸気口５１から導入された空気がディフューザ流路４１に送り出される。送り出された空気は、ディフューザ流路４１内を流動することで昇圧される。昇圧された空気は、コンプレッサスクロール流路５２を通り排気口５４を介してエンジンに供給される。エンジンに圧縮された空気が供給されることで、エンジンの性能を向上させることができる。
以上で、ターボチャージャ１の過給動作が終了する。
【００２５】
次に、ターボチャージャ１に導入されるブローバイガス及びブローバイガスに含まれるオイルの処理について説明する。
【００２６】
吸気口５１の上流側に設けられた不図示の導入口より、オイルセパレータによって液状のオイル等が除去されたブローバイガスが導入される。ブローバイガスは、エアクリーナを介して外部から導入された空気と混合され、吸気口５１を介して空気と共にコンプレッサハウジング５内に導入される。その後、ブローバイガスは、コンプレッサインペラ８及びディフューザ流路４１によって空気と共に圧縮され、コンプレッサスクロール流路５２及び排気口５４を介してエンジンに供給される。エンジンに供給されたブローバイガスは、燃料と共に燃焼される。
【００２７】
ブローバイガスには、オイルセパレータによっても除去できない霧状のオイル等（オイルミスト）が含まれている。ブローバイガスがコンプレッサハウジング５内に導入されると、このオイル等はコンプレッサインペラ８の翼部、ディフューザ流路４１の壁面４１ａ等に付着する。なお、上記オイル等は所定の温度（凡そ１６５℃）になると固化する性質を有している。
【００２８】
ここで、コンプレッサインペラ８は高速で回転していることから、その翼部にオイルが付着しても回転により径方向外側に飛ばされる。よって、オイル等はコンプレッサインペラ８の翼部に堆積しない。
一方、ディフューザ流路４１内で空気が圧縮され高温となるために、ディフューザ流路４１の壁面４１ａも高温となる。空気の圧力を高めていくと、ディフューザ流路４１内の空気の温度は更に上昇する。
【００２９】
ここで、冷却用の液体を流動させる循環装置を作動させ、上記液体を冷却用流路５３内に流動させる。循環装置には、上記液体を冷却するための冷却機が備えられているため、液体を所定の温度以下に維持することができる。この液体が冷却用流路５３内を流動することで、冷却用流路５３の周辺部が冷却される。さらに、コンプレッサハウジング５は、アルミ等の金属材料から形成されているため熱伝導性がよく、冷却用流路５３のさらに広い周辺部、すなわちディフューザ流路４１の壁面４１ａまで冷却することができる。したがって、この冷却により壁面４１ａの温度をオイル等が固化する温度以下に維持することができる。
【００３０】
壁面４１ａに付着したオイル等は、オイル等が固化する温度に壁面４１ａが達していないため、ディフューザ流路４１内を流動する空気と共に下流側に移動し、エンジン内部に導入され燃料と共に燃焼される。よって、オイル等は壁面４１ａに堆積しない。
以上で、ターボチャージャ１に導入されるブローバイガス及びブローバイガスに含まれるオイル等の処理が終了する。
【００３１】
したがって、本実施形態によれば以下の効果を得ることができる。
本実施形態によれば、ディフューザ流路４１の壁面４１ａにオイル等が固化して堆積することを防止できるという効果がある。したがって、本実施形態によれば、ディフューザ流路４１の流路幅が変化しないことから、ターボチャージャ１の性能や動作特性を長期に亘り安定化できるという効果がある。
【００３２】
なお、前述した実施の形態において示した動作手順、あるいは各構成部材の諸形状や組み合わせ等は一例であって、本発明の主旨から逸脱しない範囲においてプロセス条件や設計要求等に基づき種々変更可能である。
【００３３】
例えば、図１に示すように、上記実施形態では冷却用流路５３の幅方向での断面形状は略楕円形に形成されていたが、本発明はこのような構成に限定されるものではなく、図３に示すような幅方向での断面形状となっていてもよい。
図３は、本実施形態における冷却用流路５３の第１の変形例を示す概略図である。
図３に示すように、冷却用流路５３の第１の変形例では、冷却用流路５３は少なくとも壁面４１ａにおける外周縁部４１ｂの近傍に設けられている。ディフューザ流路４１内の空気は外周縁部４１ｂ側に向かうに従い温度が高まるため、外周縁部４１ｂにおいてオイル等が固化しやすい傾向にある。そこで、この変形例を採用することにより外周縁部４１ｂを冷却することができるため、外周縁部４１ｂにおけるオイル等の固化を防止することができる。
【００３４】
また、図２に示すように、上記実施形態では冷却用流路５３の流路径は略一定であったが、図４に示すような流路径となっていてもよい。
図４は、本実施形態における冷却用流路５３の第２の変形例を示す概略図である。
図４に示すように、冷却用流路５３の第２の変形例では、冷却用流路５３の流路径をコンプレッサスクロール流路５２の流路径に応じて変化させ、例えばコンプレッサスクロール流路５２の流路径が狭い箇所では冷却用流路５３の流路径を広げている。この変形例では、ディフューザ流路４１の壁面４１ａ（図１参照）を広い範囲で冷却でき、広い範囲でのオイル等の固化を防止することができる。
【００３５】
また、冷却用流路５３の配置を図５に示すような配置としてもよい。
図５は、本実施形態における冷却用流路５３の第３の変形例を示す概略図である。
図５に示すように、冷却用流路５３の第３の変形例では、冷却用流路５３はコンプレッサインペラ８の回転軸周りに巻回されて周方向で重ねられている。この変形例では、周方向に関して冷却用流路５３が全周に亘り形成されているため、壁面４１ａ（図１参照）は全周に亘り冷却され、オイル等の固化を全周に亘り防止することができる。また、図５に示す冷却用流路５３はコンプレッサインペラ８の径方向で重ねられているが、回転軸方向で重ねられていてもよい。
【００３６】
また、図２に示すように、上記実施形態では冷却用流路５３は１つの流路として形成されていたが、図６に示すような複数の流路となっていてもよい。
図６は、本実施形態における冷却用流路５３の第４の変形例を示す概略図である。
図６に示すように、冷却用流路５３の第４の変形例では、冷却用流路５３は環形状を複数に分割した形状（第１流路５５及び第２流路５６）に形成されている。この変形例では、壁面４１ａを効率よく冷却することができ、壁面４１ａの温度を周方向に関してより均一化することができる。
【００３７】
また、上記実施形態では、冷却用の流体として不凍液等の液体を使用しているが、本発明はこのような構成に限定されるものではなく、冷却用の流体として気体を使用してもよい。
【符号の説明】
【００３８】
１…ターボチャージャ、４１…ディフューザ流路、４１ａ…壁面、４１ｂ…外周縁部、５…コンプレッサハウジング、５２…コンプレッサスクロール流路、５３…冷却用流路、８…コンプレッサインペラ（回転翼）、
【図１】
2010209846.tif 000003
【図２】
2010209846.tif 000004
【図３】
2010209846.tif 000005
【図４】
2010209846.tif 000006
【図５】
2010209846.tif 000007
【図６】
2010209846.tif 000008